(57)【要約】      （修正有）【課題】簡単な構造で発電効率の高い熱電発電装置を提供する。【解決手段】熱電発電装置１は、熱伝導性を有する伝熱板４と、伝熱板の両面側のそれぞれに一方の面が貼着されている複数のペルチェ素子５と、複数のペルチェ素子の他方の面側に配されて伝熱板の全域を覆い、冷水が収容されるべき冷却容器２、３と、ペルチェ素子の他方の面と冷却容器との間に配されて互いを接着する接着剤１１と、冷却容器、接着シート、伝熱板の全てを貫通して締め付け力によりこれらを互いに密厚に圧着させるボルト１６と、伝熱板を昇温させるための昇温ユニット１４とを備える。伝熱板及び冷却容器は平面視にて略円形状を有し、冷却容器の中心部に貫通孔１３が設けられ、昇温ユニットは集光レンズであり、貫通孔の軸線上に配置されている。【選択図】図１
0003197975.tif 000002
【実用新案登録請求の範囲】
【請求項１】
熱伝導性を有する伝熱板と、
該伝熱板の両面側のそれぞれに一方の面が貼着されている複数のペルチェ素子と、
該複数のペルチェ素子の他方の面側に配されて前記伝熱板の全域を覆い、冷水が収容されるべき冷却容器と、
前記ペルチェ素子の他方の面と前記冷却容器との間に配されて互いを接着する接着剤と、
前記冷却容器、前記接着シート、前記伝熱板の全てを貫通して締め付け力によりこれらを互いに密厚に圧着させるボルトと、
前記伝熱板を昇温させるための昇温ユニットとを備えたことを特徴とする熱電発電装置。
【請求項２】
前記伝熱板及び前記冷却容器は平面視にて略円形状を有し、
前記冷却容器の中心部は貫通して貫通孔が設けられていて、
前記昇温ユニットは前記貫通孔を通じて前記伝熱板に昇温作用を施す位置に配されていることを特徴とする請求項１に記載の熱電発電装置。
【請求項３】
前記昇温ユニットは集光レンズであり、前記貫通孔の軸線上に配されていることを特徴とする請求項２に記載の熱電発電装置。
【考案の詳細な説明】
【技術分野】
【０００１】
本考案は、ペルチェ素子を利用した熱電発電装置に関する。
【背景技術】
【０００２】
ペルチェ素子を用いた温度差発電装置が知られている（例えば特許文献１参照）。この特許文献１は、多列に配置した軟質樹脂配管に温水、冷水を各々に通した配管の間にペルチェ素子を配置し、この集合体を多重に積層し、縦横多列に配置しゼーベック効果による温度差発電を行うものである。
【０００３】
このペルチェ素子は、両面側に金属が配されてそれぞれ発熱側及び吸熱側となり、これら金属は互いに電気的に接続されているものである。この接続部分に電流を流すことで吸熱側から発熱側に熱が移動するものである。
【０００４】
このペルチェ素子の特性は発電にも用いられている。すなわち、発熱側を熱し、吸熱側を冷却することで接続部分から電流を得ることができる。これは熱電発電と称されている。このことはすなわち、発熱側と吸熱側との間の温度差によって起電力が生じることを意味している。より詳しくは、この電位差が生じている間は、発熱側に金属イオンが、吸熱側に電子が移動され、発熱側と吸熱側に温度差が形成されている。
【先行技術文献】
【特許文献】
【０００５】
【特許文献１】特開２０１３−２１８９９号公報
【考案の概要】
【考案が解決しようとする課題】
【０００６】
しかしながら、効率よく発熱側と吸熱側に温度差を発生させ、さらにこれを簡単な構造で実現する工夫がまだまだ必要であることが現状である。特に特許文献１のようなチューブを用いることは構造が複雑化し、好ましくない。
【０００７】
本考案は、上記従来技術を考慮したものであり、簡単な構造で発電効率の高い熱電発電装置を提供することを目的とする。
【課題を解決するための手段】
【０００８】
前記目的を達成するため、本考案では、熱伝導性を有する伝熱板と、該伝熱板の両面側のそれぞれに一方の面が貼着されている複数のペルチェ素子と、該複数のペルチェ素子の他方の面側に配されて前記伝熱板の全域を覆い、冷水が収容されるべき冷却容器と、前記ペルチェ素子の他方の面と前記冷却容器との間に配されて互いを接着する接着剤と、前記冷却容器、前記接着シート、前記伝熱板の全てを貫通して締め付け力によりこれらを互いに密厚に圧着させるボルトと、前記伝熱板を昇温させるための昇温ユニットとを備えたことを特徴とする熱電発電装置を提供する。
【０００９】
好ましくは、前記伝熱板及び前記冷却容器は平面視にて略円形状を有し、前記冷却容器の中心部は貫通して貫通孔が設けられていて、前記昇温ユニットは前記貫通孔を通じて前記伝熱板に昇温作用を施す位置に配されている。
【００１０】
好ましくは、前記昇温ユニットは集光レンズであり、前記貫通孔の軸線上に配されている。
【考案の効果】
【００１１】
本考案によれば、伝熱板が昇温ユニットにて昇温されるので、この伝熱板と接しているペルチェ素子の一方の面が高温となる。一方で冷水が収容された冷却容器と接するペルチェ素子の他方の面が低温となる。これによりペルチェ素子の両面側にて温度差が生じるので、ペルチェ素子から電力を取り出すことができる。このとき、ボルトにより全体が互いに密厚に圧着しているので、伝熱板とペルチェ素子の一方の面、冷却容器とペルチェ素子の他方の面が確実に接することになる。したがって昇温させるために必要な熱エネルギーを有効にペルチェ素子の一方の面に伝えることができ、熱電発電の効率を向上できる。
【００１２】
また、伝熱板の昇温位置を円の中心とすることで、熱の伝達ルートの長さを均一にすることができる。このため効率よく熱伝達を行うことができる。結果として熱電変換効率を向上させることができる。
【００１３】
また、昇温ユニットとして集光レンズを用いれば、太陽光を用いて効率よく発電できる。集光レンズを貫通孔の軸線上に配することで、レンズによる集光を簡単な構造で伝熱板の中心に集めることができる。
【図面の簡単な説明】
【００１４】
【図１】本考案に係る熱電発電装置の概略断面図である。
【図２】本考案に係る熱電発電装置の概略斜視図である。
【図３】ペルチェ素子の概略図である。
【考案を実施するための形態】
【００１５】
図１及び図２に示すように、本考案に係る熱電発電装置１は、二つの冷却容器２、３に板形状の伝熱板４が挟持された状態で構成されている。すなわち、冷却容器２、３は伝熱板４の表面全域を覆うような大きさに形成され、覆うように配されている。伝熱板４はどのような形状でもいいが、図の例では略円板形状、すなわち平面視で略円形状を有している。この伝熱板４は熱伝導性を有し、例えば銅で形成される。伝熱板４の両面側にはそれぞれペルチェ素子５が配されている。
【００１６】
このペルチェ素子５は、図３に示すように、＋と−のそれぞれのリード線６、７を有し、これが互いにＰＮ接合された板形状の高温板８及び低温板９の一方に接続されている。すなわち、高温板８と低温板９との間にはＰ型及びＮ型の熱電半導体１０が複数配設されている。このペルチェ素子５は、電流を流すことによって低温板９から高温板８へ熱が移動するものであり（ペルチェ効果）、逆にリード線６、７に直流電流を流すことで低温板９が吸熱し、高温板８が発熱する（ゼーベック効果）。すなわち、高温板８と低温板９との間に温度差を与えることで電圧を生じさせることができ、リード線６、７を介して電力を得ることができるものである。
【００１７】
伝熱板４には、複数のペルチェ素子５が貼着されている。より詳しくは、ペルチェ素子５の一方の面である高温板８が伝熱板４に対して接着剤や接着シート等（不図示）を用いて接着されている。ペルチェ素子５の他方の面である低温板９は、冷却容器２、３と接着されている。この接着も接着剤（図の例では接着シート１１）にて行われている。換言すれば、接着シート１１はペルチェ素子５の他方の面である低温板９と冷却容器２又は３との間に配されて互いを接着している。
【００１８】
冷却容器２、３はその内部が空洞になっていて、ここには冷水が収容される。この冷水は、冷却容器２、３にそれぞれ設けられた給水口１２から給水される。そして、冷水は冷却容器２、３にそれぞれ設けられた排水口１９から排水される。このようにして、冷却容器２、３内の冷水は循環するので、冷却容器２、３の表面はある程度の低温を保持される。なお図示したように、給水口１２及び排水口１９にはそれぞれ水を流すためのホース又は管を接続するための接続カプラが取り付けられている(図では給水口１２及び排水口１９をそれぞれ接続カプラとして描いている）。冷却容器２、３のうち、一方の冷却容器２には、その中心部（平面視で円の中心近傍部分）に貫通孔１３が設けられている。
【００１９】
この貫通孔１３の軸線上には、伝熱板４を昇温させるための昇温ユニットの一例としての集光レンズ１４が配されている。集光レンズ１４を配することにより、例えば太陽光をこのレンズ１４内で屈折させて集中させ、熱エネルギーを伝熱板４に与えることができる。この熱エネルギーが付与されることにより伝熱板４は昇温する。したがって集光レンズ１４は伝熱板４を昇温するための昇温ユニットとして機能すればよいので、伝熱板４に熱エネルギーを与えるものであればどのようなものを用いてもよい。例えばレーザー発光器を適宜伝熱板４に昇温作用を施せるような位置に配すれば、同様の効果を得ることができる。単純に電気を用いて伝熱板４を熱してもよい。図の例では、集光レンズ１４は貫通孔１３の入口とある程度の間隔を形成するためにスペーサ２０を介して取り付けられている。なお、集光レンズ１４は図２では省略している。
【００２０】
このような構成により、伝熱板４が昇温することでこれに接着されている高温板８も昇温する（伝熱板４の熱が伝達される）。一方で冷水が収容された冷却容器２、３と接着されている低温板９は高温板８よりも低温となっている。したがって高温板８と低温板９との間には温度差が生じる。このため、ゼーベック効果によりペルチェ素子５は発電（熱電発電）する。これによりリード線６、７の間に電圧が発生し、このリード線６、７を介して電力を取り出すことができる。
【００２１】
ここで、冷却容器２、３には上述した貫通孔１３とは別に、容器２、３を貫通するボルト孔１５が複数設けられている。このボルト孔１５は接着シート１１及び伝熱板４にも設けられている。このボルト孔１５にボルト１６が挿通される。したがって、冷却容器２、３及び伝熱板４を重ねた際に、ボルト孔１５は平面視にて同一の位置に形成されている。ボルト１６はナット１７とセットで用いられる。ボルト１６及びナット１７の締め付け力により、冷却容器２、３と伝熱板４とは互いに密厚に圧着される。したがってペルチェ素子５と冷却容器２、３及び伝熱板４とも厚密に圧着されるので、熱伝導率が高まって高温板８と低温板９との間に大きな温度差を生じさせることができ、結果として発電効率を高めることができる。なお、この締め付け力により冷却容器２、３が破損することを防止するため、冷却容器２、３の外側表面には補強のためのステンレス製の板材１８がそれぞれ配されている。
【００２２】
このように、本考案によれば、伝熱板４が昇温ユニット（集光レンズ１４）にて昇温されるので、この伝熱板４と接しているペルチェ素子５の一方の面（高温板８）が高温となる。一方で冷水が収容された冷却容器２、３と接するペルチェ素子の他方の面（低温板９）が低温となる。これによりペルチェ素子５の両面側にて温度差が生じるので、ペルチェ素子５から電力を取り出すことができる。このとき、ボルト１６により全体が互いに密厚に圧着しているので、伝熱板４とペルチェ素子５の一方の面（高温板８）、冷却容器２、３とペルチェ素子５の他方の面（低温板９）が確実に接することになる。したがって昇温させるために必要な熱エネルギーを有効にペルチェ素子５の一方の面（高温板８）に伝えることができ、熱電発電の効率を向上できる。
【００２３】
また、伝熱板４の昇温位置を円の中心とすることで、熱の伝達ルートの長さを均一にすることができる。このため効率よく熱伝達を行うことができる。結果として熱電変換効率を向上させることができる。このような伝熱ルートを放射状としてその均一性を確保することで、熱伝達効率を高めることができる。このため、冷却容器２、３及び伝熱板４を平面視にて円形状とし、伝熱板４の中心から熱していく構造とすることが重要となってくる。接着シート１１や板材１８等、これに付随する部材も平面視にて円形状となる。また、昇温ユニットとして集光レンズ１４を用いることで、太陽光を用いて効率よく発電できる。集光レンズ１４を貫通孔１３の軸線上に配することで、レンズ１４による集光を簡単な構造で伝熱板４の中心に集めることができる。
【符号の説明】
【００２４】
１：熱電発電装置、２：冷却容器、３：冷却容器、４：伝熱板、５：ペルチェ素子、６：リード線、７：リード線、８：高温板、９：低温板、１０：熱電半導体、１１：接着シート、１２：給水口、１３：貫通孔、１４：集光レンズ、１５：ボルト孔、１６：ボルト、１７：ナット、１８：板材、１９：排水口、２０：スペーサ
【図１】
0003197975.tif 000003
【図２】
0003197975.tif 000004
【図３】
0003197975.tif 000005